(57)【要約】【課題】本発明は、簡単な構成により、耐震強度を十分に高めることを目的とするものである。【解決手段】枠体は、一対の吊枠３１と、吊枠３１の上端部間に接続されている上枠と、吊枠３１の下端部間に接続されている下枠とを有している。各吊枠３１は、釣合おもりガイドレール１２に対向する平板状の吊枠基部３１ａと、吊枠基部３１ａから積載おもり２２側へ突出し、かつ互いに対向する平板状の一対のフランジ部３１ｂ，３１ｃとを有している。釣合おもり装置１０の幅方向の各積載おもり２２の両端部には、フランジ部３１ｂ，３１ｃが挿入されている複数のスリット２２ａが設けられている。【選択図】図４
2016210558.tif 000002
【特許請求の範囲】
【請求項１】
一対の吊枠と、前記吊枠間に接続されている上枠と、前記上枠の下方で前記吊枠間に接続されている下枠とを有している枠体、及び
前記枠体内に保持されている複数の積載おもり
を備え、
各前記吊枠は、平板状の吊枠基部と、前記吊枠基部から前記積載おもり側へ突出し、かつ互いに対向する平板状の一対のフランジ部とを有しており、
少なくとも一部の前記積載おもりには、前記フランジ部が挿入されている複数のスリットが設けられているエレベータの釣合おもり装置。
【請求項２】
一対の吊枠と、前記吊枠間に接続されている上枠と、前記上枠の下方で前記吊枠間に接続されている下枠とを有している枠体、及び
前記枠体内に保持されている複数の積載おもり
を備え、
各前記吊枠は、平板状の吊枠基部と、前記吊枠基部から前記積載おもり側へ突出し、かつ互いに対向する平板状の一対のフランジ部と、前記フランジ部の前記吊枠基部とは反対側の端部から内側へ突出し、かつ前記吊枠基部に対向する一対の折り返し部とを有しており、
少なくとも一部の前記積載おもりには、前記折り返し部と前記フランジ部と前記吊枠基部とにより形成されている凹部内にそれぞれ挿入されている複数の凸部が設けられているエレベータの釣合おもり装置。
【請求項３】
一対の吊枠と、前記吊枠間に接続されている上枠と、前記上枠の下方で前記吊枠間に接続されている下枠とを有している枠体、及び
前記枠体内に保持されている複数の積載おもり
を備え、
各前記吊枠は、平板状の吊枠基部と、前記吊枠基部から前記積載おもり側へ突出し、かつ互いに対向する平板状の一対のフランジ部と、前記フランジ部の前記吊枠基部とは反対側の端部から外側へ突出した一対の突出部とを有しているエレベータの釣合おもり装置。
【請求項４】
一対の吊枠と、前記吊枠間に接続されている上枠と、前記上枠の下方で前記吊枠間に接続されている下枠とを有している枠体、及び
前記枠体内に保持されている複数の積載おもり
を備え、
各前記吊枠は、平板状の吊枠基部と、前記吊枠基部から前記積載おもり側へ突出し、かつ互いに対向する平板状の一対のフランジ部とを有しているエレベータの釣合おもり装置の改修方法であって、
前記枠体を懸架体に接続したまま、前記枠体から前記積載おもりを取り出す工程、及び
幅方向両端部に複数のスリットがそれぞれ設けられている複数の新たな積載おもりを、前記スリットに前記フランジ部を挿入した状態で、前記枠体内に積み込む工程
を含むエレベータの釣合おもり装置の改修方法。
【発明の詳細な説明】
【技術分野】
【０００１】
この発明は、枠体内に複数の積載おもりが積載されているエレベータの釣合おもり装置、及びその改修方法に関するものである。
【背景技術】
【０００２】
従来のエレベータの釣合おもり装置では、複数の積載おもりが枠体内に積層されている。枠体は、断面コ字形の一対の吊枠と、吊枠の上端部間に固定された上枠と、吊枠の下端部間に固定された下枠とを有している。各吊枠の上下方向の中間部には、板状のストッパが固定されている。ストッパは、釣合おもりガイドレールに対してギャップを介して対向している。また、ストッパは、地震発生時に釣合おもりガイドレールに加わる力を分散させる（例えば、特許文献１参照）。
【先行技術文献】
【特許文献】
【０００３】
【特許文献１】特開２０００−２１１８５０号公報
【発明の概要】
【発明が解決しようとする課題】
【０００４】
上記のような従来の釣合おもり装置のストッパは、地震発生時に釣合おもりガイドレールに加わる力を分散させるものであり、枠体自体の耐震強度を高めるためのものではなかった。これに対して、枠体の耐震強度を高める方法としては、例えば、吊枠のサイズを大きくする方法、又は吊枠の板厚を大きくする方法などが考えられる。しかし、これらの方法だけでは、耐震強度が十分に高められず、簡単な構成により耐震強度を十分に高めることが求められている。
【０００５】
この発明は、上記のような課題を解決するためになされたものであり、簡単な構成により、耐震強度を十分に高めることができるエレベータの釣合おもり装置及びその改修方法を得ることを目的とする。
【課題を解決するための手段】
【０００６】
この発明に係るエレベータの釣合おもり装置は、一対の吊枠と、吊枠間に接続されている上枠と、上枠の下方で吊枠間に接続されている下枠とを有している枠体、及び枠体内に保持されている複数の積載おもりを備え、各吊枠は、平板状の吊枠基部と、吊枠基部から積載おもり側へ突出し、かつ互いに対向する平板状の一対のフランジ部とを有しており、少なくとも一部の積載おもりの幅方向両端部には、フランジ部が挿入されている複数のスリットが設けられている。
【発明の効果】
【０００７】
この発明のエレベータの釣合おもり装置は、積載おもりの幅方向両端部に複数のスリットを設け、これらのスリットに吊枠のフランジ部を挿入したので、地震時にフランジ部に加わる力が分散され、吊枠の局部変形を抑制することができ、簡単な構成により、耐震強度を十分に高めることができる。
【図面の簡単な説明】
【０００８】
【図１】この発明の実施の形態１によるエレベータを示す側面図である。
【図２】図１の釣合おもり装置を示す正面図である。
【図３】図２の釣合おもり装置を示す側面図である。
【図４】図２のＩＶ−ＩＶ線に沿う断面図である。
【図５】実施の形態１の改修方法による改修前の既設の釣合おもり装置を示す正面図である。
【図６】図５のＶＩ−ＶＩ線に沿う断面図である。
【図７】この発明の実施の形態２によるエレベータの釣合おもり装置を示す正面図である。
【図８】図７の釣合おもり装置を示す側面図である。
【図９】図７のＩＸ−ＩＸ線に沿う断面図である。
【図１０】この発明の実施の形態３によるエレベータの釣合おもり装置を示す正面図である。
【図１１】図１０の釣合おもり装置を示す側面図である。
【図１２】図１０のＸＩＩ−ＸＩＩ線に沿う断面図である。
【発明を実施するための形態】
【０００９】
以下、この発明を実施するための形態について、図面を参照して説明する。
実施の形態１．
図１はこの発明の実施の形態１によるエレベータを示す側面図である。図において、昇降路１の上部には、機械室２が設けられている。機械室２内には、機械台３が設置されている。機械台３上には、巻上機４が支持されている。巻上機４は、駆動シーブ５及び巻上機本体６を有している。巻上機本体６は、駆動シーブ５を回転させる巻上機モータと、駆動シーブ５の回転を制動する巻上機ブレーキとを有している。
【００１０】
機械台３には、そらせ車７が取り付けられている。駆動シーブ５及びそらせ車７には、懸架体８が巻き掛けられている。懸架体８としては、例えば、複数本のロープ又は複数本のベルトが用いられている。
【００１１】
懸架体８の第１の端部には、かご９が接続されている。懸架体８の第２の端部には、釣合おもり装置１０が接続されている。かご９及び釣合おもり装置１０は、懸架体８により昇降路１内に吊り下げられており、駆動シーブ５が回転することにより昇降路１内を昇降する。
【００１２】
昇降路１内には、かご９の昇降を案内する一対のかごガイドレール１１と、釣合おもり装置１０の昇降を案内する一対の釣合おもりガイドレール１２とが設置されている。
【００１３】
かご９は、懸架体８が接続されたかご枠１３と、かご枠１３に支持されているかご室１４とを有している。
【００１４】
図２は図１の釣合おもり装置１０を示す正面図、図３は図２の釣合おもり装置１０を示す側面図、図４は図２のＩＶ−ＩＶ線に沿う断面図である。釣合おもり装置１０は、金属製の枠体２１と、複数の積載おもり２２と、一対の上部ガイドシュー２３と、一対の下部ガイドシュー２４と、一対の中間ストッパ２５と、一対の吊枠バンド（帯板）２６とを有している。
【００１５】
積載おもり２２は、枠体２１内に積層されて保持されている。上部ガイドシュー２３は、枠体２１の上端部の幅方向（図２の左右方向）両側に配置されている。下部ガイドシュー２４は、枠体２１の下端部の幅方向両側に配置されている。中間ストッパ２５は、枠体２１の上下方向の中間部の幅方向両側に固定されている。吊枠バンド２６は、枠体２１の前後に配置されている。
【００１６】
枠体２１は、釣合おもり装置１０の幅方向の両側に垂直に配置された一対の吊枠（縦枠）３１と、吊枠３１の上端部間に接続されている断面コ字形の上枠３２と、吊枠３１の下端部間に接続されている断面コ字形の下枠３３とを有している。
【００１７】
上枠３２及び下枠３３は、水平に配置されている。上枠３２の下面には、懸架体接続板３４が固定されている。懸架体接続板３４には、懸架体８が接続されている。下枠３３は、上枠３２の下方に配置されており、積載おもり２２を支持している。
【００１８】
各吊枠３１は、図４に示すように、釣合おもりガイドレール１２に対向する平板状の吊枠基部３１ａと、吊枠基部３１ａから積載おもり２２側（釣合おもりガイドレール１２とは反対側）へ突出し、かつ互いに対向する平板状の一対のフランジ部３１ｂ，３１ｃとを有している。即ち、各吊枠３１の水平断面形状はコ字形である。フランジ部３１ｂ，３１ｃは、吊枠基部３１ａの幅方向（図３の左右方向）両側を直角又はほぼ直角に折り曲げて形成されている。
【００１９】
各積載おもり２２の平面形状は、長方形である。また、釣合おもり装置１０の厚さ方向（図４の上下方向）への各積載おもり２２の寸法は、同方向への吊枠３１の寸法よりも大きい。また、釣合おもり装置１０の幅方向への各積載おもり２２の寸法は、左右の吊枠３１の吊枠基部３１ａの間隔よりも小さく、左右の吊枠３１の最短の間隔よりも大きい。
【００２０】
釣合おもり装置１０の幅方向の各積載おもり２２の両端部には、フランジ部３１ｂ，３１ｃが挿入されている複数のスリット（切欠）２２ａが設けられている。具体的には、各積載おもり２２には、左右２本ずつ、計４本のスリット２２ａが設けられている。
【００２１】
隣り合うスリット２２ａ間には、吊枠３１の内側に挿入されている挿入部２２ｂがそれぞれ形成されている。また、各積載おもり２２の四隅には、フランジ部３１ｂ又は３１ｃを挟んで挿入部２２ｂに対向する延長部２２ｃがそれぞれ形成されている。各積載おもり２２は、吊枠３１により水平方向に拘束(保持)されている。
【００２２】
このような釣合おもり装置１０では、地震時の水平振動で積載おもりが加振されると、積載おもり２２の端部がフランジ部３１ｂ，３１ｃに接触する。これにより、地震時に吊枠３１のフランジ部３１ｂ，３１ｃに加わる力が分散され、吊枠３１の局部変形が抑制される。従って、簡単な構成により、耐震強度を十分に高めることができ、枠体２１からの積載おもり２２の脱落をより確実に防止することができる。
【００２３】
次に、釣合おもり装置の改修方法について説明する。図５は実施の形態１の改修方法による改修前の既設の釣合おもり装置を示す正面図、図６は図５のＶＩ−ＶＩ線に沿う断面図である。既設の釣合おもり装置の積載おもり２７の平面形状は、例えば、図４の積載おもり２２から延長部２２ｃを除去した形状である。
【００２４】
このような釣合おもり装置を改修する場合、枠体２１を懸架体８に接続したまま、枠体２１から積載おもり２７を取り出す。このとき、最上段の積載おもり２７の上方には、積載おもり２７を傾斜させる空間が残っている。このため、積載おもり２７を傾斜させることで、枠体２１を分解せずに積載おもり２７を枠体２１から取り出すことができる。
【００２５】
この後、図４に示されているような新たな積載おもり２２を、スリット２２ａにフランジ部３１ｂ，３１ｃを挿入した状態で、枠体２１内に積み込む。
【００２６】
このような改修方法によれば、既設の枠体２１を流用することができるので、コストの増加を抑えつつ、釣合おもり装置１０の耐震強度を高くすることができる。また、釣合おもり装置から主索を切り離したり、枠体２１を分解したりする必要がないため、改修工事の期間を短縮することができる。
【００２７】
なお、必ずしも全ての積載おもりにスリットを設けなくてもよく、スリットを持たない積載おもりを混在させることも可能である。
また、上記の例では、既設の枠体２１を流用する改修方法を示したが、エレベータを新設する場合、又は既設の枠体を新たな枠体に交換する場合には、１個当たりの積載おもり２２の重量が増加するため、吊枠３１の高さ寸法を小さくすることもできる。そして、吊枠３１の高さ寸法を小さくした場合、レイアウト性を向上させることができるとともに、吊枠３１の強度面で有利となる。
【００２８】
実施の形態２．
次に、図７はこの発明の実施の形態２によるエレベータの釣合おもり装置を示す正面図、図８は図７の釣合おもり装置を示す側面図、図９は図７のＩＸ−ＩＸ線に沿う断面図である。
【００２９】
実施の形態２の釣合おもり装置は、金属製の枠体４１と、枠体４１内に積層されて保持されている複数の積載おもり４２と、一対の上部ガイドシュー２３と、一対の下部ガイドシュー２４と、一対の中間ストッパ２５と、一対の吊枠バンド２６とを有している。
【００３０】
枠体４１は、釣合おもり装置の幅方向の両側に垂直に配置された一対の吊枠（縦枠）４３と、吊枠４３の上端部間に接続されている断面コ字形の上枠４４と、吊枠３１の下端部間に接続されている断面コ字形の下枠４５とを有している。
【００３１】
上枠４４及び下枠４５は、水平に配置されている。下枠４５は、上枠４４の下方に配置されており、積載おもり４２を支持している。
【００３２】
各吊枠４３は、図９に示すように、釣合おもりガイドレール１２に対向する平板状の吊枠基部４３ａと、吊枠基部４３ａから積載おもり４２側（釣合おもりガイドレール１２とは反対側）へ突出し、かつ互いに対向する平板状の一対のフランジ部４３ｂ，４３ｃと、フランジ部４３ｂ，４３ｃの吊枠基部４３ａとは反対側の端部から内側へ突出し、かつ吊枠基部４３ａに対向する一対の折り返し部４３ｄ，４３ｅとを有している。即ち、各吊枠４３の水平断面形状はＣ字形である。
【００３３】
フランジ部４３ｂ，４３ｃ及び折り返し部４３ｄ，４３ｅは、吊枠基部４３ａの幅方向（図８の左右方向）両側を折り曲げて形成されている。
【００３４】
各吊枠４３内には、折り返し部４３ｄ，４３ｅとフランジ部４３ｂ，４３ｃと吊枠基部４３ａとにより形成されている一対の凹部が形成されている。釣合おもり装置の幅方向の各積載おもり４２の両端部には、吊枠４３の凹部内にそれぞれ挿入されている複数の凸部４２ａが設けられている。具体的には、各積載おもり４２には、左右２つずつ、計４つの凸部４２ａが設けられている。
【００３５】
釣合おもり装置の厚さ方向（図９の上下方向）への各積載おもり４２の寸法は、同方向への吊枠４３の寸法よりも小さい。エレベータ全体の構成及び釣合おもり装置の他の構成は、実施の形態１と同様である。
【００３６】
このように、実施の形態２では、吊枠４３の水平断面形状が、積載おもり４２に引っ掛けるような形状となっている。即ち、吊枠４３に折り返し部４３ｄ，４３ｅが設けられており、積載おもり４２に凸部４２ａが設けられている。
【００３７】
このため、地震時に吊枠４３のフランジ部４３ｂ，４３ｃに加わる力が分散され、吊枠４３の局部変形が抑制される。従って、簡単な構成により、耐震強度を十分に高めることができ、枠体４１からの積載おもり４２の脱落をより確実に防止することができる。また、折り返し部４３ｄ，４３ｅを形成したことにより、吊枠４３自体の曲げ強度も高くなっている。
【００３８】
なお、必ずしも全ての積載おもりに凸部を設けなくてもよく、凸部を持たない積載おもりを混在させることも可能である。
また、吊枠４３内に挿入されている部分以外の積載おもり４２の平面形状は、図９に実線で示すように、短辺寸法が折り返し部４３ｄ，４３ｅ間の寸法よりも小さい長方形としても、図９に２点鎖線で示すように、短辺寸法が折り返し部４３ｄ，４３ｅ間の寸法よりも大きい長方形としてもよい。
さらに、折り返し部は、吊枠の上下方向の全体に渡って連続して設けても、断続的又は部分的に設けてもよい。
【００３９】
実施の形態３．
次に、図１０はこの発明の実施の形態３によるエレベータの釣合おもり装置を示す正面図、図１１は図１０の釣合おもり装置を示す側面図、図１２は図１０のＸＩＩ−ＸＩＩ線に沿う断面図である。
【００４０】
実施の形態３の釣合おもり装置は、金属製の枠体５１と、枠体５１内に積層されて保持されている複数の積載おもり５２と、一対の上部ガイドシュー２３と、一対の下部ガイドシュー２４と、一対の中間ストッパ２５と、一対の吊枠バンド２６とを有している。
【００４１】
枠体５１は、釣合おもり装置の幅方向の両側に垂直に配置された一対の吊枠（縦枠）５３と、吊枠５３の上端部間に接続されている断面コ字形の上枠５４と、吊枠３１の下端部間に接続されている断面コ字形の下枠５５とを有している。
【００４２】
上枠５４及び下枠５５は、水平に配置されている。下枠５５は、上枠５４の下方に配置されており、積載おもり５２を支持している。
【００４３】
各吊枠５３は、図１２に示すように、釣合おもりガイドレール１２に対向する平板状の吊枠基部５３ａと、吊枠基部５３ａから積載おもり５２側（釣合おもりガイドレール１２とは反対側）へ突出し、かつ互いに対向する平板状の一対のフランジ部５３ｂ，５３ｃと、フランジ部５３ｂ，５３ｃの吊枠基部５３ａとは反対側の端部から外側へ突出した一対の突出部５３ｄ，５３ｅとを有している。即ち、各吊枠５３の水平断面形状はハット形である。
【００４４】
フランジ部５３ｂ，５３ｃ及び突出部５３ｄ，５３ｅは、吊枠基部５３ａの幅方向（図１１の左右方向）両側を折り曲げて形成されている。釣合おもり装置の幅方向の各積載おもり５２の両端部は、吊枠５３の内側に挿入されている。エレベータ全体の構成及び釣合おもり装置の他の構成は、実施の形態１と同様である。
【００４５】
このような釣合おもり装置では、断面ハット形の吊枠５３が用いられているので、吊枠５３自体の曲げ強度が高くなっており、地震時に吊枠５３の局部変形が抑制される。従って、簡単な構成により、耐震強度を十分に高めることができ、枠体５１からの積載おもり５２の脱落をより確実に防止することができる。
【００４６】
なお、吊枠５３内に挿入されている部分以外の積載おもり５２の平面形状は、図１２に実線で示すように、短辺寸法がフランジ部５３ｂ，５３ｃ間の寸法よりも小さい長方形としても、図１２に２点鎖線で示すように、短辺寸法がフランジ部５３ｂ，５３ｃ間の寸法よりも大きい長方形としてもよい。
また、突出部は、吊枠の上下方向の全体に渡って連続して設けても、断続的又は部分的に設けてもよい。
【符号の説明】
【００４７】
１０  釣合おもり装置、２１，４１，５１  枠体、２２，４２，５２  積載おもり、２２ａ  スリット、３１，４３，５３  吊枠、３１ａ，４３ａ，５３ａ  吊枠基部、３１ｂ，３１ｃ，４３ｂ，４３ｃ，５３ｂ，５３ｃ  フランジ部、４２ａ  凸部、４３ｄ，４３ｅ  折り返し部、５３ｄ，５３ｅ  突出部。
【図１】
2016210558.tif 000003
【図２】
2016210558.tif 000004
【図３】
2016210558.tif 000005
【図４】
2016210558.tif 000006
【図５】
2016210558.tif 000007
【図６】
2016210558.tif 000008
【図７】
2016210558.tif 000009
【図８】
2016210558.tif 000010
【図９】
2016210558.tif 000011
【図１０】
2016210558.tif 000012
【図１１】
2016210558.tif 000013
【図１２】
2016210558.tif 000014